(57)【要約】  複数人数で共用される健康データ測定機器と個人で使用される健康データ測定機器が混在する健康管理システムにおいて、各健康データ測定機器で測定された健康データと、測定した使用者とを紐付け、健康データに使用者ＩＤ等を付与する健康管理システム、個人化端末及び健康管理データ集約方法を提供する。個人化端末１６０は、複数人数で共用される健康データ測定機器である共用機器１１０〜１３０から属性情報及び健康データを受信し、使用者ＩＤ付与部１６３にて使用者ＩＤを該健康データに付与し、該健康データと前記属性情報をゲートウェイ装置１７０に送信する。ゲートウェイ装置１７０では、個人化端末１６０又は専用機器１４０、１５０から受信した属性情報及び健康データの集約を行い、データセンター３００のサーバ装置３１０にデータを送信する。
2008004518.tif 000002
【特許請求の範囲】
【請求項１】
使用者の健康に関するデータについて測定する健康データ測定装置と、前記データを集約する個人化端末及びゲートウェイ装置とからなる健康管理システムにおいて、
前記健康データ測定装置は、
健康管理データを測定又は演算するデータ測定部と、
前記健康管理データを前記個人化端末又は前記ゲートウェイ装置に送信する送信部とを備え、
前記個人化端末は、
使用者識別情報を保存した使用者情報保存部と、
前記健康データ測定装置から受信した使用者識別情報の付与されていない健康管理データに前記使用者情報保存部から抽出した前記使用者識別情報を付与する使用者識別情報付与部と、
前記使用者識別情報を付与した健康管理データを前記ゲートウェイ装置に送信する送信部とを備え、
前記ゲートウェイ装置は、
前記健康データ測定装置又は前記個人化端末から受信した前記健康管理データをサーバ装置に送信するデータ送出部とを備えることを特徴とする健康管理システム。
【請求項２】
前記健康データ測定装置の測定部又は前記個人化端末の受信部は、前記健康データ測定装置の機器の属性情報及び前記健康管理データの属性情報をそれぞれの機器属性・健康データ属性保存部に保存し、
前記健康データ測定装置の送信部又は前記個人化端末の送信部は、前記健康データ測定装置の機器の属性情報及び前記健康管理データの属性情報を前記健康管理データの送信前又は送信と同時に、前記個人化端末又は前記ゲートウェイ装置に送信することを特徴とする請求項１に記載の健康管理システム。
【請求項３】
前記個人化端末の受信部は、前記健康データ測定装置の機器の属性情報及び前記健康管理データの属性情報を受信し、該健康管理データの属性情報に含まれる識別子を該個人化端末固有の識別子に変換して個人化端末属性情報保存部に保存するとともに、変換前と変換後の識別子を対応させたテーブルを生成して保存し、
前記健康データ測定装置から健康管理データを受信したときに、該健康管理データに含まれる識別子を前記個人化端末属性情報保存部に保存している前記テーブル及び該個人化端末の機器の属性情報を参照して変換し、健康データ保存部に保存し、
前記個人化端末の送信部は、前記個人化端末属性情報保存部から変換後の健康管理データの属性情報及び前記個人化端末の機器の属性情報を読み出して、前記識別子変換後の健康管理データの送信前又は送信と同時に、前記ゲートウェイ装置に送信することを特徴とする請求項１に記載の健康管理システム。
【請求項４】
使用者の健康に関するデータについて集約する個人化端末において、
健康データ測定装置から測定又は演算を行った健康管理データを受信する受信部と、
使用者識別情報を保存した使用者情報保存部と、
使用者識別情報の付与されていない前記健康管理データに前記使用者情報保存部から抽出した前記使用者識別情報を付与する使用者識別情報付与部と、
前記使用者識別情報を付与した健康管理データをゲートウェイ装置に送信する送信部とを備えることを特徴とする個人化端末。
【請求項５】
前記受信部は、前記健康データ測定装置から受信した前記健康データ測定装置の機器の属性情報及び前記健康管理データの属性情報を機器属性・健康データ属性保存部に保存し、
前記送信部は、前記健康データ測定装置の機器の属性情報及び前記健康管理データの属性情報を前記健康管理データの送信前又は送信と同時に、前記ゲートウェイ装置に送信することを特徴とする請求項４に記載の個人化端末。
【請求項６】
前記受信部は、前記健康データ測定装置の機器の属性情報及び前記健康管理データの属性情報を受信し、該健康管理データの属性情報に含まれる識別子を該個人化端末固有の識別子に変換して該属性情報を個人化端末属性情報保存部に保存するとともに、変換前と変換後の識別子を対応させたテーブルを生成して保存し、
前記健康データ測定装置から健康管理データを受信したときに、該健康管理データに含まれる識別子を前記個人化端末属性情報保存部に保存している前記テーブル及び該個人化端末の機器の属性情報を参照して変換し、健康データ保存部に保存し、
前記送信部は、前記個人化端末属性情報保存部から変換後の健康管理データの属性情報及び前記個人化端末の機器の属性情報を読み出して、前記識別子変換後の健康管理データの送信前又は送信と同時に、前記ゲートウェイ装置に送信することを特徴とする請求項４に記載の個人化端末。
【請求項７】
使用者の健康に関するデータについて測定し、集約する健康管理データ集約方法において、
健康データ測定装置に、
健康管理データを測定又は演算するステップと、
前記健康管理データを個人化端末又はゲートウェイ装置に送信するステップとを実行させ、
前記個人化端末に、
前記健康データ測定装置から受信した使用者識別情報の付与されていない健康管理データに使用者情報保存部から抽出した使用者識別情報を付与するステップと、
該健康管理データをゲートウェイ装置に送信するステップとを実行させ、
前記ゲートウェイ装置に、
前記健康データ測定装置又は前記個人化端末から受信した前記健康管理データをサーバ装置に送信するステップとを実行させることを特徴とする健康管理データ集約方法。
【請求項８】
前記健康データ測定装置の測定部に、前記健康データ測定装置の機器の属性情報及び前記健康管理データの属性情報を機器属性・健康データ属性保存部に保存するステップと、
前記健康データ測定装置の送信部に、前記健康データ測定装置の機器の属性情報及び前記健康管理データの属性情報を前記健康管理データの送信前又は送信と同時に、前記個人化端末又は前記ゲートウェイ装置に送信するステップとを実行させることを特徴とする請求項７に記載の健康管理データ集約方法。
【請求項９】
前記個人化端末の受信部に、前記健康データ測定装置の機器の属性情報及び前記健康管理データの属性情報を機器属性・健康データ属性保存部に保存するステップと、
前記個人化端末の送信部に、前記健康データ測定装置の機器の属性情報及び前記健康管理データの属性情報を前記健康管理データの送信前又は送信と同時に、前記ゲートウェイ装置に送信するステップとを実行させることを特徴とする請求項８に記載の健康管理データ集約方法。
【請求項１０】
前記個人化端末の受信部に、前記健康データ測定装置の機器の属性情報及び前記健康管理データの属性情報を受信し、該健康管理データの属性情報に含まれる識別子を該個人化端末固有の識別子に変換して該属性情報を個人化端末属性情報保存部に保存するステップと、
変換前と変換後の識別子を対応させたテーブルを生成して前記個人化端末属性情報保存部に保存するステップと、
前記健康データ測定装置から前記健康管理データを受信したときに、該健康管理データに含まれる識別子を前記個人化端末属性情報保存部に保存している前記テーブル及び該個人化端末の機器の属性情報を参照して変換し、健康データ保存部に保存するステップと、
前記個人化端末の送信部に、前記個人化端末属性情報保存部から変換後の健康管理データの属性情報及び前記個人化端末の機器の属性情報を読み出して、前記識別子変換後の健康管理データの送信前又は送信と同時に、前記ゲートウェイ装置に送信するステップとを実行させることを特徴とする請求項８に記載の健康管理データ集約方法。
【発明の詳細な説明】
【技術分野】
【０００１】
本発明は、ネットワークを利用して使用者の健康に係る種々のデータを集約・管理する健康管理システム、個人化端末及び該健康管理システムにおける健康管理データの集約方法に関する。
【背景技術】
【０００２】
最近、ホームヘルスケア或いはセルフケア関連分野の産業では、ネットワーク技術を活用して、各種健康データ測定機器で計測した健康管理データ（以下、「健康データ」という）を家庭内のパソコン（Ｐｅｒｓｏｎａｌ  Ｃｏｍｐｕｔｅｒ）、又はインターネット上のデータセンターに集約し管理する健康管理システムが開発され、これを利用したサービスが登場し始めている。【０００３】
例えば、体重計、血圧計及び歩数計といった健康データ測定機器で測定した使用者の健康データをパソコンに集約・管理し、使用者はそのパソコンで自らの健康データを確認し、健康の維持・増進に役立てる技術が開示されている。（例えば、特許文献１参照）【０００４】
また、健康データ測定機器で測定したデータを、携帯電話を介してインターネット上のデータセンターに送信する技術が開示されている。（例えば、特許文献２参照）【０００５】
特許文献２のシステムでは、健康データ測定機器と携帯電話はデータ伝送装置を介して接続され、該データ伝送装置は、健康データ測定機器から新規の健康データを受信すると、該新規の健康データをデータセンターに送信するためのアクセス情報を生成し、携帯電話に転送する。携帯電話は該アクセス情報に基づいてデータセンターにアクセスし、健康データを伝送する。
【特許文献１】特開２００４−２８３５７０号公報
【特許文献２】特開２００５−０３９７８２号公報
【発明の開示】
【発明が解決しようとする課題】
【０００６】
ところで、ホームヘルスケアやセルフケアにおいて使用される健康データ測定機器には様々な種類のものがあるが、それらを分類する一つの視点として装置の専用性／共用性、すなわち、機器がある特定の個人の専用機器なのか、家族等による共用機器なのか、といった視点がある。【０００７】
ここで、課題となるのは、共用機器を使用した場合の測定を行った使用者（測定者）の判別である。すなわち、測定データと使用者との紐付けである。【０００８】
特許文献１では、歩数計が個人の専用機器、体重計と血圧計は家族の共用機器となっている。専用機器は予め使用者ＩＤ等個人の情報を機器に入力しておき、パソコンにデータを送信するときは、使用者ＩＤとともに送信する。それに対して、共用機器は機器本体に取り付けられたボタンに個人を割り当て（家族での取り決め）、測定時に使用者が自分に割り当てられたボタンを押下することで使用者を特定し、データと共に使用者ＩＤがパソコンに送信される。【０００９】
しかしながら、共用機器におけるボタンは、その数に限りがある。例えば、老人ホーム等施設の共用スペースで使用する場合等、不特定多数が使用する場合には対処できない。ボタンの数を増す、少ないボタンの組み合わせ等入力方法の工夫、或いは、ボタンではない入力装置の使用などの対策は考えられるが、機器のデザイン、操作性、入力ミスの多発といった別の課題が発生する。【００１０】
従って、共用機器において使用者識別ボタンによる健康データと使用者との紐付けは根本的な解決にはならない。【００１１】
また、特許文献２では、健康データ測定機器が個人の専用機器として使用されることを前提としており、共用機器において使用者を判別し健康データにＩＤを付与する方法については、何ら開示していない。【００１２】
本発明は、複数人数で共用される健康データ測定機器と個人で使用される健康データ測定機器が混在する健康管理システムにおいて、各健康データ測定機器（健康データ測定装置）で測定された健康データと、測定を実施した使用者とを紐付け、健康データに使用者ＩＤ等を付与する健康管理システム、個人化端末及び健康管理データ集約方法を提供することを目的とする。
【課題を解決するための手段】
【００１３】
斯かる実情に鑑み、第１の発明による健康管理システムは、使用者の健康に関するデータについて測定する健康データ測定装置と、前記データを集約する個人化端末及びゲートウェイ装置とからなる健康管理システムにおいて、
前記健康データ測定装置は、健康管理データを測定又は演算するデータ測定部と、前記健康管理データを前記個人化端末又は前記ゲートウェイ装置に送信する送信部とを備え、
前記個人化端末は、使用者識別情報を保存した使用者情報保存部と、前記健康データ測定装置から受信した使用者識別情報の付与されていない健康管理データに前記使用者情報保存部から抽出した前記使用者識別情報を付与する使用者識別情報付与部と、前記使用者識別情報を付与した健康管理データを前記ゲートウェイ装置に送信する送信部とを備え、
前記ゲートウェイ装置は、前記健康データ測定装置又は前記個人化端末から受信した前記健康管理データを前記サーバ装置に送信するデータ送出部とを備えることを特徴とする。【００１４】
また、第２の発明による健康管理システムは、前記健康データ測定装置の測定部又は前記個人化端末の受信部が、前記健康データ測定装置の機器の属性情報及び前記健康管理データの属性情報をそれぞれの機器属性・健康データ属性保存部に保存し、前記健康データ測定装置の送信部又は前記個人化端末の送信部は、前記健康データ測定装置の機器の属性情報及び前記健康管理データの属性情報を前記健康管理データの送信前又は送信と同時に、前記個人化端末又は前記ゲートウェイ装置に送信することを特徴とする。【００１５】
また、第３の発明による健康管理システムは、前記個人化端末の受信部が、前記健康データ測定装置の機器の属性情報及び前記健康管理データの属性情報を受信し、該健康管理データの属性情報に含まれる識別子を該個人化端末固有の識別子に変換して個人化端末属性情報保存部に保存するとともに、変換前と変換後の識別子を対応させたテーブルを生成して保存し、前記健康データ測定装置から健康管理データを受信したときに、該健康管理データに含まれる識別子を前記個人化端末属性情報保存部に保存している前記テーブル及び該個人化端末の機器の属性情報を参照して変換し、健康データ保存部に保存し、前記個人化端末の送信部は、前記個人化端末属性情報保存部から変換後の健康管理データの属性情報及び前記個人化端末の機器の属性情報を読み出して、前記識別子変換後の健康管理データの送信前又は送信と同時に、前記ゲートウェイ装置に送信することを特徴とする。【００１６】
また、第４の発明による個人化端末は、使用者の健康に関するデータについて集約する個人化端末であって、健康データ測定装置から測定又は演算を行った健康管理データを受信する受信部と、使用者識別情報を保存した使用者情報保存部と、使用者識別情報の付与されていない前記健康管理データに前記使用者情報保存部から抽出した前記使用者識別情報を付与する使用者識別情報付与部と、前記使用者識別情報を付与した健康管理データをゲートウェイ装置に送信する送信部とを備えることを特徴とする。【００１７】
また、第５の発明による個人化端末は、前記受信部が、前記健康データ測定装置から受信した前記健康データ測定装置の機器の属性情報及び前記健康管理データの属性情報を機器属性・健康データ属性保存部に保存し、前記送信部が、前記健康データ測定装置の機器の属性情報及び前記健康管理データの属性情報を前記健康管理データの送信前又は送信と同時に、前記ゲートウェイ装置に送信することを特徴とする。【００１８】
また、第６の発明による個人化端末は、前記受信部が、前記健康データ測定装置の機器の属性情報及び前記健康管理データの属性情報を受信し、該健康管理データの属性情報に含まれる識別子を個人化端末固有の識別子に変換して該属性情報を個人化端末属性情報保存部に保存するとともに、変換前と変換後の識別子を対応させたテーブルを生成して保存し、前記健康データ測定装置から健康管理データを受信したときに、該健康管理データに含まれる識別子を前記個人化端末属性情報保存部に保存している前記テーブル及び該個人化端末の機器の属性情報を参照して変換し、健康データ保存部に保存し、前記送信部が、前記個人化端末属性情報保存部から変換後の健康管理データの属性情報及び前記個人化端末の機器の属性情報を読み出して、前記識別子変換後の健康管理データの送信前又は送信と同時に、前記ゲートウェイ装置に送信することを特徴とする。【００１９】
また、第７の発明による健康管理データ集約方法は、使用者の健康に関するデータについて測定し、集約する健康管理データ集約方法であって、
健康データ測定装置に、健康管理データを測定又は演算するステップと、前記健康管理データを個人化端末又はゲートウェイ装置に送信するステップとを実行させ、
前記個人化端末に、前記健康データ測定装置から受信した使用者識別情報の付与されていない健康管理データに使用者情報保存部から抽出した使用者識別情報を付与するステップと、前記健康管理データをゲートウェイ装置に送信するステップとを実行させ、
前記ゲートウェイ装置に、前記健康データ測定装置又は前記個人化端末から受信した前記健康管理データをサーバ装置に送信するステップとを実行させることを特徴とする。【００２０】
また、第８の発明による健康管理データ集約方法は、前記健康データ測定装置の測定部に、前記健康データ測定装置の機器の属性情報及び前記健康管理データの属性情報を機器属性・健康データ属性保存部に保存するステップと、
前記健康データ測定装置の送信部に、前記健康データ測定装置の機器の属性情報及び前記健康管理データの属性情報を前記健康管理データの送信前又は送信と同時に、前記個人化端末又は前記ゲートウェイ装置に送信するステップとを実行させることを特徴とする。【００２１】
また、第９の発明による健康管理データ集約方法は、前記個人化端末の受信部に、前記健康データ測定装置の機器の属性情報及び前記健康管理データの属性情報を機器属性・健康データ属性保存部に保存するステップと、前記個人化端末の送信部に、前記健康データ測定装置の機器の属性情報及び前記健康管理データの属性情報を前記健康管理データの送信前又は送信と同時に、前記ゲートウェイ装置に送信するステップとを実行させることを特徴とする。【００２２】
また、第１０の発明による健康管理データ集約方法は、前記個人化端末の受信部に、前記健康データ測定装置の機器の属性情報及び前記健康管理データの属性情報を受信し、該健康管理データの属性情報に含まれる識別子を個人化端末固有の識別子に変換して該属性情報を個人化端末属性情報保存部に保存するステップと、変換前と変換後の識別子を対応させたテーブルを生成して前記個人化端末属性情報保存部に保存するステップと、前記健康データ測定装置から健康管理データを受信したときに、該健康管理データに含まれる識別子を前記個人化端末属性情報保存部に保存している前記テーブル及び該個人化端末の機器の属性情報を参照して変換し、健康データ保存部に保存するステップと、前記個人化端末の送信部に、前記個人化端末属性情報保存部から変換後の健康管理データの属性情報及び前記個人化端末の機器の属性情報を読み出して、前記識別子変換後の健康管理データの送信前又は送信と同時に、前記ゲートウェイ装置に送信するステップとを実行させることを特徴とする。
【発明の効果】
【００２３】
本発明によれば、複数人数で共用される健康データ測定機器と個人で使用される健康データ測定機器が混在する健康管理システムにおいて、各健康データ測定機器で測定された健康データと、測定を実施した使用者とを紐付け、健康データに使用者ＩＤ等（使用者識別情報）を付与して集約・管理することができる。【００２４】
また、本発明によれば、個人化端末を仮想的な一つの専用機器と見立てることができ、健康データ測定機器、ゲートウェイ装置が個々に属性情報を他の装置に合わせて変換する必要がなく、異なる仕様の装置間でのデータの送受信が簡易に可能となる。【００２５】
また、個々の機器の属性情報が変更となった場合でも、個人化端末に変更した属性情報を送信すれば、システム全体として該属性情報がアップデートされたことになり、属性情報の変更も容易となる。
【図面の簡単な説明】
【００２６】
【図１】本発明に係る健康管理システムの概略を示す図である。
【図２】共用機器の機能ブロック図である。
【図３】専用機器の機能ブロック図である。
【図４】個人化端末の機能ブロック図である。
【図５】ゲートウェイ装置の機能ブロック図である。
【図６】共用機器における個人化端末への健康データ送信のフローチャートである。
【図７】機器の属性情報のイメージを示す図である。
【図８】健康データの属性情報のイメージを示す図である。
【図９】共用機器から送信される健康データのイメージを示す図である。
【図１０】専用機器におけるゲートウェイ装置又は個人化端末への健康データ送信のフローチャートである。
【図１１】専用機器から送信される健康データのイメージを示す図である。
【図１２】個人化端末が共用機器又は専用機器から健康データを受信し、ゲートウェイ装置へ健康データの送信を行うフローチャートである。
【図１３】機器属性のテーブルを示す図である。
【図１４】健康データ属性のテーブルを示す図である。
【図１５】健康データのテーブルを示す図である。
【図１６】ゲートウェイ装置における健康データ送受信のフローチャートである。
【符号の説明】
【００２７】
１  健康管理システム
１００  家庭内システム
１１０、１２０、１３０  共用機器
１１１、１４１  健康データ測定部
１１２、１４４、１６４  データ／情報送信部
１１３、１４５  健康データ一時保存部
１１４、１４７  属性情報保存部
１４０、１５０  専用機器
１４２、１６２、１７２  使用者情報入力部
１４３、１６３  使用者ＩＤ付与部
１４６、１６７、１７６  使用者情報保存部
１６０  個人化端末
１６１、１７１  データ／情報受信部
１６５、１７４  健康データ保存部
１６６、１７５  機器属性・健康データ属性保存部
１６８  個人化端末属性情報保存部
１７０  ゲートウェイ装置
１７３  サーバアクセス・データ送出部
２００  公衆回線
３００  データセンター
３１０  サーバ装置
【発明を実施するための最良の形態】
【００２８】
［第１の実施形態］
以下、本発明に係る健康管理システムの実施の形態を図示例と共に説明する。
図１は、本発明に係る健康管理システム１の概略を示す図である。【００２９】
図１において、家庭内システム１００は、複数の使用者で共用される共用健康データ測定機器１１０、１２０、１３０（以下、「共用機器」という）、特定の使用者専用の専用健康データ測定機器１４０、１５０（以下、「専用機器」という）、主に共用機器１１０〜１３０が計測又は演算した健康データを集約し、使用者ＩＤを付与する個人化端末１６０、個人化端末１６０又は専用機器１４０、１５０から使用者ＩＤ付きの健康データを収集するゲートウェイ装置１７０から構成される。【００３０】
また、ゲートウェイ装置１７０は、インターネット等の公衆回線２００を通じて、健康データを収集・保存するサーバ装置３１０を含むデータセンター３００に接続される。【００３１】
なお、図１は、専用機器１４０、１５０がゲートウェイ装置１７０にデータを送信する形態を想定して描かれたものだが、専用機器１４０、１５０は、個人化端末１６０にデータを送信する構成としても構わない。【００３２】
図２は、図１に示される共用機器１１０〜１３０の機能ブロック図である。
共用機器１１０〜１３０は同様の構成であるので、ここでは、共用機器１１０について説明を行う。【００３３】
共用機器１１０は、健康データ測定部１１１、データ／情報送信部１１２、記憶部としての健康データ一時保存部１１３及び属性情報保存部１１４から構成される。【００３４】
健康データ測定部１１１は、測定又は演算した健康データを一時的に健康データ一時保存部１１３に保存する。【００３５】
属性情報保存部１１４には、該共用機器に関する基本的な機器属性情報、及び該共用機器が測定する健康データに関する健康データ属性情報から成る属性情報が保存されている。機器属性情報には、例えば、共用機器の機器ＩＤ、メーカ名、モデル番号又はシリアル番号等が含まれている。また、健康データ属性情報は、例えば、健康データの種別、単位又は尺度等が含まれている。【００３６】
データ／情報送信部１１２は、健康データ一時保存部１１３に保存された健康データ、及び属性情報保存部１１４に保存されている属性情報を個人化端末１６０に送信する。【００３７】
健康データを送信するタイミングは、健康データ測定部１１１が測定又は演算した直後であることが望ましい。また、属性情報を送信するタイミングは、健康データを送信するのと同時でもよいし、事前送信でもよい。【００３８】
属性情報を健康データと同時に送信する場合は、該共用機器１１０の機器属性情報、及び該健康データに関する健康データ属性情報を健康データと共に送信する。一方、属性情報を事前に送信する場合は、該共用機器１１０の機器属性情報、及び該共用機器１１０で測定又は演算する全ての健康データに関する健康データ属性情報が送信されることが望ましい。【００３９】
図３は、図１に示される専用機器１４０、１５０の機能ブロック図である。
専用機器１４０、１５０は同様の構成であるので、ここでは、専用機器１４０について説明を行う。【００４０】
専用機器１４０は、健康データ測定部１４１、使用者情報入力部１４２、使用者ＩＤ付与部１４３、データ／情報送信部１４４、記憶部としての健康データ一時保存部１４５、使用者情報保存部１４６及び属性情報保存部１４７から構成される。【００４１】
専用機器１４０の使用者は、使用者情報入力部１４２を介して使用者ＩＤを含む使用者の情報を入力し、該専用機器１４０を該使用者に専用化する。入力された使用者の情報は使用者情報保存部１４６に保存される。【００４２】
なお、複数の使用者の情報を入力できるようにし、複数の使用者情報を使用者情報保存部１４６に登録を行い、使用者が使用するごとに入力するＩＤ等から使用者を判別して一時的に専用化するような専用機器としてもよい。【００４３】
また、使用者の情報は、個人化端末１６０又はゲートウェイ装置１７０にも保存されていることから、専用機器１４０、１５０、個人化端末１６０又はゲートウェイ装置１７０間で使用者のＩＤ等を統一しておき、使用者が使用者のＩＤ等を入力すると、個人化端末１６０又はゲートウェイ装置１７０から使用者情報をダウンロードして、使用者情報保存部１４６に保存するように実装してもよい。【００４４】
健康データ測定部１４１で測定又は演算された健康データは、使用者ＩＤ付与部１４３によって使用者情報保存部１４６に保存されている使用者ＩＤが付与され、一時的に健康データ一時保存部１４５に保存される。【００４５】
属性情報保存部１４７には、該専用機器１４０に関する基本的な機器属性情報、及び該専用機器１４０が測定する健康データに関する健康データ属性情報から成る属性情報が保存されている。該専用機器属性情報及び該健康データ属性情報の内容については、図２の共用機器１１０における属性情報保存部１１４の内容と同様である。【００４６】
データ／情報送信部１４４は、健康データ一時保存部１４５に保存された健康データ、及び属性情報保存部１４７に保存された属性情報を、図１における個人化端末１６０又はゲートウェイ装置１７０に送信する。データ／情報送信部１４４から送出される健康データ及び属性情報が、個人化端末１６０とゲートウェイ装置１７０のいずれに送信されるかについては、任意である。【００４７】
健康データを送信するタイミングは、健康データ測定部１４１が測定又は演算した直後であることが望ましいが、予め決められた時間又は定期的に送信してもよい。また、属性情報を送信するタイミングは、健康データを送信するのと同時でもよいし、事前送信でもよい。【００４８】
属性情報を健康データと同時に送信する場合は、該専用機器１４０の機器属性情報、及び該健康データに関する健康データ属性情報を健康データと共に送信する。一方、属性情報を事前に送信する場合は、該専用機器１４０の機器属性情報、及び該専用機器１４０で測定又は演算する全ての健康データに関する健康データ属性情報が送信されることが望ましい。【００４９】
図４は、図１における個人化端末１６０の機能ブロック図である。【００５０】
個人化端末１６０は、小型の個人情報端末や携帯電話等、持ち運びが簡単な小型の端末であることが望ましい。
個人化端末１６０の持ち運びが簡単であれば、使用者は、共用機器１１０〜１３０を使用する際、個人化端末１６０も傍に置いて、個人化端末１６０に使用者の情報を入力等して個人化端末１６０を該使用者に専用化しておくことで、個人化端末１６０が受信したデータは、専用化している使用者のデータとみなされ該使用者のＩＤが付与されることとなる。このようにすることにより、共用機器１１０〜１３０から個人化端末１６０へ健康データ及び属性情報を送信する操作の後の個人化端末１６０による使用者ＩＤ付与処理やゲートウェイ装置１７０への転送処理の連携がスムーズに行われ、操作の利便性が増す。【００５１】
個人化端末１６０は、データ／情報受信部１６１、使用者情報入力部１６２、使用者ＩＤ付与部１６３、データ／情報送信部１６４、記憶部としての健康データ保存部１６５、機器属性・健康データ属性保存部１６６、使用者情報保存部１６７及び個人化端末属性情報保存部１６８から構成される。【００５２】
個人化端末１６０の使用者は、使用者情報入力部１６２を介して使用者ＩＤを含む使用者の情報を入力し、該個人化端末１６０を使用者に専用化する。入力された使用者の情報は使用者情報保存部１６７に保存される。【００５３】
なお、複数の使用者の情報を入力できるようにし、複数の使用者情報を使用者情報保存部１６７に登録を行い、使用者が使用するごとに入力するＩＤ等から使用者を判別して一時的に専用化するようにしてもよい。又は、個人化端末１６０、ゲートウェイ装置１７０間で使用者のＩＤ等を統一しておき、使用者が使用者のＩＤ等を入力すると、ゲートウェイ装置１７０から使用者の情報をダウンロードするようにしてもよいし、他の端末から送信等を行って、使用者情報保存部１６７に保存するように実装してもよい。【００５４】
データ／情報受信部１６１は、図１における共用機器１１０〜１３０、専用機器１４０、１５０のうちの１個以上の任意の端末から健康データ及び属性情報を受信する。【００５５】
ここで、共用機器１１０〜１３０から受信した使用者ＩＤが付与されていない健康データは、使用者ＩＤ付与部１６３において使用者情報保存部１６７に保存されている使用者ＩＤを付与する。すなわち、個人化端末１６０において、共用機器１１０〜１３０から受信した使用者ＩＤが付与されていない健康データは、該個人化端末１６０の使用者のデータであるとみなされることとなる。【００５６】
使用者ＩＤが付与されている、又は使用者ＩＤ付与部１６３で使用者ＩＤが付与された健康データは、該健康データを一時的又は永続的に保存する健康データ保存部１６５に保存され、共用機器１１０〜１３０又は専用機器１４０、１５０の属性情報は機器属性・健康データ属性保存部１６６に保存される。【００５７】
個人化端末属性情報保存部１６８には、該個人化端末１６０に関する基本的な属性情報が保存されている。該属性情報は、例えば、該個人化端末１６０の機器ＩＤ、メーカ名、モデル番号又はシリアル番号等が含まれている。【００５８】
データ／情報送信部１６４は、健康データ保存部１６５に保存された健康データ、及び機器属性・健康データ属性保存部１６６に保存された属性情報を、図１におけるゲートウェイ装置１７０に転送する。属性情報が送信されるタイミングは、健康データを転送するのと同時でもよいし、事前送信でもよい。【００５９】
例えば、任意の共用機器１１０〜１３０又は専用機器１４０、１５０から健康データと共に属性情報を受信した場合は、それと同様に、健康データと共に属性情報を同じ内容でゲートウェイ装置１７０に転送する。【００６０】
また、任意の共用機器１１０〜１３０又は専用機器１４０、１５０から属性情報を事前に受信した場合は、該属性情報を機器属性・健康データ属性保存部１６６に保存して、属性情報受信後で健康データを受信するまでの間に該属性情報をゲートウェイ装置１７０に転送するか、健康データ受信後に該健康データを送信してきた機器の機器属性、及び該健康データに関する健康データ属性を機器属性・健康データ属性保存部１６６から呼び出し、健康データと共にゲートウェイ装置１７０に転送してもよい。【００６１】
なお、健康データ保存部１６５に保存されている健康データ、及び機器属性・健康データ属性保存部１６６に保存されている属性情報は、データ／情報送信部１６４が該健康データ及び該属性情報を送信し終えたら削除してもよいし、メモリに余裕のある限り永続的に保存し続けてもよい。【００６２】
図５は、図１におけるゲートウェイ装置１７０の機能ブロック図である。【００６３】
ゲートウェイ装置１７０は、データ／情報受信部１７１、使用者情報入力部１７２、サーバアクセス・データ送出部１７３、記憶部としての健康データ保存部１７４、機器属性・健康データ属性保存部１７５及び使用者情報保存部１７６から構成される。【００６４】
図１における家庭内システム１００の全使用者の使用者ＩＤ、及びデータセンター３００内のサーバ装置３１０における管理ＩＤを含む使用者の情報は、使用者情報入力部１７２を介して入力され、使用者情報保存部１７６に保存される。使用者情報の入力方法は、ゲートウェイ装置１７０に直接入力を行ってもよいし、共用機器１１０〜１３０、専用機器１４０、１５０、個人化端末１６０、その他の端末、サーバ装置３１０からの通信による送信を行ってもよい。【００６５】
データ／情報受信部１７１は、図１における個人化端末１６０、専用機器１４０、１５０のうちの１個以上の任意の端末から健康データ及び属性情報を受信し、該健康データは健康データ保存部１７４に保存され、該共用機器１１０〜１３０又は該専用機器１４０、１５０の属性情報、該健康データの属性情報は、機器属性・健康データ属性保存部１７５に保存される。【００６６】
サーバアクセス・データ送出部１７３は、図１におけるデータセンター３００内のサーバ装置３１０にアクセスするためのログイン情報を含むアクセス情報を生成し、該サーバ装置３１０にアクセスする。サーバ装置３１０にログイン後、健康データ保存部１７４に保存されている未送信の健康データを、使用者情報保存部１７６に保存されているデータセンター３００より付与された使用者の管理ＩＤと共に送出する。なお、属性情報のサーバ装置３１０への送信方法については、サーバ装置３１０との個々の通信方式に依存する。【００６７】
図１におけるゲートウェイ装置１７０から送出された健康データ及び使用者の管理ＩＤは、データセンター３００内のサーバ装置３１０が受信し、保存する。【００６８】
以下、本実施例における健康データ集約の流れについて説明する。【００６９】
センダ（データの送信者）−レシーバ（データの受信者）間の健康データ又は属性情報の伝送は、どちらか一方（トリガーノード）がそのきっかけを作り、他方（アンサーノード）がそれを受信し答える様式で行われる。本実施例において、センダ−レシーバ間の伝送方式は、次の３つのうちのいずれかである。【００７０】
（１）センダがトリガーノードになる場合は、センダから健康データ又は属性情報を送出し、アンサーノードたるレシーバが受信の成否を返す通知・確認方式で伝送される。【００７１】
（２）レシーバがトリガーノードになる場合は、レシーバがセンダに対して健康データ又は属性情報を送出するよう要求を発し、それを受けたアンサーノードたるセンダが健康データ又は属性情報をレシーバに送信する要求・応答方式で伝送される。【００７２】
（３）通知・確認方式の特殊な方式として、アンサーノードたるレシーバが受信の成否を返さない通知のみの方式で伝送される。【００７３】
上記の（１）〜（３）の処理は、共用機器１１０〜１３０若しくは専用機器１４０、１５０のデータ／情報送信部１１２、１４４と個人化端末１６０のデータ／情報受信部１６１間、又は専用機器１４０、１５０のデータ／情報送信部１４４若しくは個人化端末１６０のデータ／情報送信部１６４とゲートウェイ装置１７０のデータ／情報受信部１７１間で行われる。【００７４】
送受信のタイミングの成否を確認し、相手端末から現在、通信できない旨の通知がかえってきた場合、そこで処理は一旦終了する。一定時間経過後又はランダムな時間経過後に、再度、相手端末に送受信タイミングの確認をするよう設定するのが望ましい。【００７５】
次に、図面を用いて、本発明に係る健康データ集約の流れについて説明する。
図６は、図１の共用機器１１０〜１３０における個人化端末１６０への健康データ送信のフローチャートである。【００７６】
Ｓ１１で、健康データ測定部１１１は、健康データの測定又は演算を行い、Ｓ１２で、データ／情報送信部１１２が、該健康データを送信するタイミングか否かを個人化端末１６０に前述のように確認することにより判定し、送信するタイミングであれば、Ｓ１３で健康データ一時保存部１１３より健康データを、属性情報も同時に送信するのであれば属性情報保存部１１４から属性情報も呼び出し、送信する。個人化端末１６０からの通知等により送信するタイミングでないと認識した場合、Ｓ１４で、データ／情報送信部１１２は、該健康データを健康データ一時保存部１１３に一時的に保存する。【００７７】
なお、Ｓ１３で送信される健康データは、健康データ一時保存部１１３に保存されている未送信のものであり、共用機器１１０〜１３０は他の者も使用することからプライバシー保護のため又はメモリを最小限度で済ませるため、送信されたら消去されることが望ましい。【００７８】
上記個人化端末１６０から要求・応答方式の健康データの取得要求によりデータ送信する場合は、図６におけるＡからフローがスタートする。【００７９】
機器の属性情報のイメージを図７に、健康データの属性情報のイメージを図８に、共用機器１１０〜１３０から送信される健康データのイメージを図９に例示する。
機器の属性情報として、図７のように、例えば、属性数、機器ＩＤ、メーカ名、モデル番号又はシリアル番号等が挙げられる。
また、健康データの属性情報として、図８のように、例えば、健康データを測定する機器ＩＤと関連付けて、データ項目数、各健康データ項目等について記述するとよい。各健康データ項目については、項目ＩＤ、属性数、健康データの名称、単位又は尺度等が挙げられる。
また、健康データとしては、図９のように、例えば、健康データを測定した機器ＩＤと関連付けて、データ数、各データについて記述するとよい。各データについては、データＩＤとデータを関連づけて記述するとよい。
これらデータを連接して送信してもよいし、個別に送信してもよい。機器と健康データの属性情報を個別に送信する場合は、連続して行うことが望ましい。【００８０】
図１０は、図１の専用機器１４０、１５０におけるゲートウェイ装置１７０又は個人化端末１６０への健康データ送信のフローチャートである。
なお、以下では、専用機器１４０、１５０に使用者情報が入力され専用化されているものとして説明する。【００８１】
Ｓ２１で、健康データ測定部１４１は健康データの測定又は演算を行い、Ｓ２２で、使用者ＩＤ付与部１４３は該健康データに使用者情報保存部１４６に保存されている使用者ＩＤを付与する。【００８２】
次に、Ｓ２３で、データ／情報送信部１４４は、使用者ＩＤが付与された該健康データを送信するタイミングか否かをゲートウェイ装置１７０又は個人化端末１６０に前述のように確認することにより判定し、送信するタイミングであれば、Ｓ２４でゲートウェイ装置１７０又は個人化端末１６０に送信する。そうでなければ、データ／情報送信部１４４は、Ｓ２５で、該健康データを健康データ一時保存部１４５に一時的に保存する。【００８３】
又は、健康データの測定・演算直後にゲートウェイ装置１７０又は個人化端末１６０に健康データ等を送信するのではなく、予め決められた時間又は定期的に送信するようにしてもよい。この場合は、測定・演算を行うと、すぐに健康データ一時保存部１４５に保存され、決められた時間又は定期的にデータ／情報送信部１４４がゲートウェイ装置１７０又は個人化端末１６０に健康データ等を送信する。【００８４】
なお、Ｓ２４で送信される健康データは、健康データ一時保存部１４５に保存されている未送信のものであり、専用機器１４０、１５０は、複数の使用者が登録できる場合、他の者も使用する可能性があることからプライバシー保護のため又はメモリを最小限度で済ませるため、送信されたら消去されることが望ましい。【００８５】
また、ゲートウェイ装置１７０又は個人化端末１６０から要求・応答方式で健康データの取得要求があった場合は、図１０におけるＢからフローがスタートする。【００８６】
機器の属性情報のイメージを図７に、健康データの属性情報のイメージを図８に、専用機器１４０、１５０から送信される健康データのイメージを図１１に例示する。
機器の属性情報及び健康データの属性情報については、共用機器で説明したものと同様である。
健康データとしては、図１１のように、例えば、健康データを測定した使用者ＩＤ及び機器ＩＤと関連付けて、データ数、各データについて記述するとよい。各データについては、データＩＤとデータを関連づけて記述するとよい。
これらデータを連接して送信してもよいし、個別に送信してもよい。機器と健康データの属性情報を個別に送信する場合は、連続して行うことが望ましい。【００８７】
図１２は、図１の個人化端末１６０が共用機器１１０〜１３０又は専用機器１４０、１５０から健康データを受信し、ゲートウェイ装置１７０へ健康データの送信を行うフローチャートである。
なお、以下では、個人化端末１６０に使用者情報が入力され専用化されているものとして説明する。【００８８】
Ｓ３１で、データ／情報受信部１６１は、健康データ測定機器である共用機器１１０〜１３０又は専用機器１４０、１５０に対し、健康データを送信できるタイミングか否かを、前述のように確認することにより判定し、個人化端末１６０が受信できるタイミングであれば、Ｓ３２に進み、健康データを受信する。そうでなければ終了する。【００８９】
健康データ測定装置から通知・確認方式又は通知方式で通知があった場合は、図１２におけるＣからフローがスタートする。【００９０】
次に、Ｓ３３で、使用者ＩＤ付与部１６３は、受信した健康データに使用者ＩＤが付与されているか否かを判定し、付与されていなければＳ３４に進み、使用者情報を使用者情報保存部１６７より呼び出し、該使用者情報の中に含まれる使用者ＩＤを該健康データに付与する。すなわち、個人化端末１６０において、共用機器１１０〜１３０から受信した使用者ＩＤが付与されていない健康データは、該個人化端末１６０の使用者のデータであるとみなされることとなる。【００９１】
機器の属性情報のイメージを図７に、健康データの属性情報のイメージを図８に、個人化端末１６０から送信される使用者ＩＤが付与された健康データのイメージを図１１に例示する。
機器の属性情報、健康データの属性情報及び健康データについては、共用機器及び専用機器で説明したものと同様である。
これらデータを連接して送受信してもよいし、個別に送受信してもよい。機器と健康データの属性情報の送受信を個別に送受信する場合は、連続して行うことが望ましい。【００９２】
属性情報は、図１３及び図１４に例示するテーブル形式にしたものでもよい。なお、図１３は機器属性のテーブル例であり、図１４は健康データ属性のテーブル例である。【００９３】
次に、Ｓ３５で、データ／情報送信部１６４は、使用者ＩＤが付与された該健康データをゲートウェイ装置１７０に転送するタイミングか否かをゲートウェイ装置１７０に前述のように確認することにより判定し、転送するタイミングであれば、Ｓ３６で送信する。そうでなければ、データ／情報送信部１６４は、Ｓ３７で、該健康データを健康データ保存部１６５に一時的に保存する。【００９４】
又は、健康データ等の受信又は使用者ＩＤ付与直後にゲートウェイ装置１７０に健康データ等を送信するのではなく、予め決められた時間又は定期的に送信するようにしてもよい。この場合は、健康データ等の受信又は使用者ＩＤ付与の後、すぐに健康データ保存部１６５に保存され、決められた時間又は定期的にデータ／情報送信部１６４がゲートウェイ装置１７０に健康データ等を送信する。【００９５】
なお、Ｓ３６で送信される健康データは、健康データ保存部１６５に保存されている未送信のものであり、個人化端末１６０は、複数の使用者が登録できる場合、他の者も使用する可能性があることからプライバシー保護のため又はメモリを最小限度で済ませるため、送信されたら消去されることが望ましい。【００９６】
また、ゲートウェイ装置１７０から要求・応答方式で健康データの取得要求があった場合は、図１２におけるＤからフローがスタートする。【００９７】
また、健康データ保存部１６５における健康データの保存形式は、図１１に例示するイメージのままでもよいし、図１５に例示するテーブル形式にしたものでもよい。【００９８】
図１６は、図１のゲートウェイ装置１７０における健康データ送受信のフローチャートである。【００９９】
Ｓ４１で、データ／情報受信部１７１は、個人化端末１６０又は専用機器１４０、１５０に対し、健康データを送信できるタイミングか否かを、前述のように確認することにより判定し、個人化端末１６０又は専用機器１４０、１５０から健康データを受信できるタイミングであれば、Ｓ４２に進み、健康データを受信する。そうでなければ終了する。【０１００】
また、個人化端末１６０又は専用機器１４０、１５０から通知・確認方式又は通知方式で通知があった場合は、図１６におけるＥからフローがスタートする。【０１０１】
次に、Ｓ４３で、データ／情報受信部１７１は、受信した健康データを健康データ保存部１７４に保存する。健康データ保存部１７４における保存形式を図１５に例示する。健康データは、例えば、図１５のようなテーブル形式で使用者ごとに保存される。【０１０２】
次に、Ｓ４４で、サーバアクセス・データ送出部１７３は、図１におけるデータセンター３００内のサーバ装置３１０に対し、健康データを受信できるタイミングか否かを、前述のように確認することにより判定し、サーバ装置３１０に健康データを送出できるタイミングであれば、Ｓ４５でサーバ装置３１０へのアクセス情報（ログイン情報等）を生成してサーバ装置３１０にアクセスし、健康データを送出する。サーバ装置３１０から現在受信できない旨の通知を受信するなど、健康データを送信できない状態であれば、サーバアクセス・データ送出部１７３は、処理を一旦終了する。【０１０３】
なお、Ｓ４５で送出される健康データは、健康データ保存部１７４に保存されている未送信のものである。【０１０４】
Ｓ４４の送出するタイミングは任意であるが、予め決められた時間又は時間間隔で送出されることが望ましい。【０１０５】
また、サーバ装置３１０へのアクセス手段は任意であり、例えば、インターネット上のプロトコルであるｈｔｔｐ（Ｈｙｐｅｒ  Ｔｅｘｔ  Ｔｒａｎｓｆｅｒ  Ｐｒｏｔｏｃｏｌ）やｆｔｐ（Ｆｉｌｅ  Ｔｒａｎｓｆｅｒ  Ｐｒｏｔｏｃｏｌ）等を用いる。なお、セキュリティ確保のため、ＳＳＬ／ＴＬＳ（Ｓｅｃｕｒｅ  Ｓｏｃｋｅｔｓ  Ｌａｙｅｒ／Ｔｒａｎｓｐｏｒｔ  Ｌａｙｅｒ  Ｓｅｃｕｒｉｔｙ）と共に用いることが望ましい。【０１０６】
なお、１００を家庭内システムとしたが、施設内システムでもよいし、システムの設置場所は任意であり、これに限定されない。【０１０７】
［第２の実施形態］
本実施形態では、本発明の健康データの集約について、第１の実施形態とは異なる実施形態について説明する。【０１０８】
基本的な流れは、第１の実施形態と同様であるが、本実施形態では、個人化端末１６０を経由して健康データ又は属性情報の送受信を行う装置間において、個人化端末１６０による仮想化を行う。すなわち、ゲートウェイ装置１７０側からは、個人化端末１６０が一台の健康データ測定機器（専用機器）に見え、他方、健康データ測定機器側からは、個人化端末１６０が一台のゲートウェイ装置１７０として見える。【０１０９】
以下では、第１の実施形態と異なる部分のみについて説明する。
図４における個人化端末１６０のデータ／情報受信部１６１は、複数の健康データ測定機器から受信して、機器属性・健康データ属性保存部１６６に、健康データ測定機器ごとに保存されている健康データ属性情報を、統一して１つの健康データ属性情報にまとめるように修正を行う。【０１１０】
つまり、図８に示すように、健康データ属性情報の個々の健康データ（図中では健康データ項目）には項目ＩＤが付与されているが、該項目ＩＤはそれぞれの機器においてユニークなＩＤとなっているため、個人化端末１６０のデータ／情報受信部１６１が改めて項目ＩＤを付与する。【０１１１】
このようにしてデータ／情報受信部１６１が作成した統一された健康データ属性情報を個人化端末属性情報保存部１６８に保存する。【０１１２】
なお、個人化端末属性情報保存部１６８には、個人化端末の機器属性情報が図７のように既に保存されているものとし、データ／情報受信部１６１は、図８に示すように健康データ属性情報に含まれる機器ＩＤも、個人化端末の機器属性情報を参照して個人化端末１６０の機器ＩＤに修正する。【０１１３】
また、データ／情報受信部１６１は、個人化端末属性情報保存部１６８に、機器ＩＤと項目ＩＤの両方について新ＩＤと旧ＩＤの対応関係をテーブル化したデータを併せて保存しておく。【０１１４】
データ／情報送信部１６４がゲートウェイ装置１７０に属性情報を送信する際のデータは、個人化端末属性情報保存部１６８に保存されている該個人化端末の機器属性情報、及び修正を行った後の健康データ属性情報である。【０１１５】
次に、仮想化した個人化端末１６０による処理の流れについて説明する。【０１１６】
図１２におけるＳ３２とＳ３３の間に、次のＩＤ変換ステップを実施する。【０１１７】
データ／情報受信部１６１は、個人化端末属性情報保存部１６８に保存されている新項目ＩＤと旧項目ＩＤの対応関係テーブルを参照し、健康データ測定機器から受信した健康データ（図９又は図１１）の項目ＩＤ（図中ではデータＩＤ）を、旧項目ＩＤから新項目ＩＤに変換する。また、機器ＩＤを個人化端末属性情報保存部１６８に保存されている個人化端末１６０の機器属性情報を参照して該個人化端末１６０の機器ＩＤに変換する。【０１１８】
以上のように第１の実施形態を変更することで、個人化端末１６０を仮想的な一つの専用機器と見立てることができ、健康データ測定機器（共用機器１１０〜１３０、専用機器１４０、１５０）、ゲートウェイ装置１７０が個々に属性情報を他の装置に合わせて変換する必要がなく、異なる仕様の装置間のデータの送受信が簡易に可能となる。【０１１９】
また、個々の機器の属性情報が変更となった場合でも、個人化端末１６０に変更した属性情報を送信すれば、システム全体として該属性情報がアップデートされたことになり、属性情報の変更も容易である。【０１２０】
尚、本発明に係る健康管理システム、個人化端末及び健康管理データ集約方法は、上述の図示例にのみ限定されるものではなく、本発明の要旨を逸脱しない範囲内において種々変更を加え得ることは勿論である。
【産業上の利用可能性】
【０１２１】
以上のように、本発明によれば、個人化端末は、複数人数で共用される健康データ測定機器である共用機器から属性情報及び健康データを受信し、使用者ＩＤ付与部にて使用者ＩＤを該健康データに付与して、該健康データと前記属性情報をゲートウェイ装置に送信し、ゲートウェイ装置は、個人化端末又は専用機器から受信した属性情報及び健康データをデータセンターのサーバ装置に転送することにより、共用機器と専用機器が混在する健康管理システムにおいて、健康データと測定した使用者とを紐付けて集約、管理することができるものである。
【図１】
2008004518.tif 000003
【図２】
2008004518.tif 000004
【図３】
2008004518.tif 000005
【図４】
2008004518.tif 000006
【図５】
2008004518.tif 000007
【図６】
2008004518.tif 000008
【図７】
2008004518.tif 000009
【図８】
2008004518.tif 000010
【図９】
2008004518.tif 000011
【図１０】
2008004518.tif 000012
【図１１】
2008004518.tif 000013
【図１２】
2008004518.tif 000014
【図１３】
2008004518.tif 000015
【図１４】
2008004518.tif 000016
【図１５】
2008004518.tif 000017
【図１６】
2008004518.tif 000018
【国際調査報告】
2008004518.tif 000019
2008004518.tif 000020